(57)【要約】【課題】水場で使用する場合に、水がシリンダ上部に設けた吸気孔を通じて容器体内に侵入することを抑制することができる液体噴出ポンプを提供する。【解決手段】シリンダ4上部に摺動可能に嵌合させて吸気孔5を閉塞可能な摺動閉塞部37と、該摺動閉塞部37を下部外周より周突設するとともに、固定吸引部A上端開口6に挿入させた基筒部38とからなり、作動部材Bが最下降の係止状態に移行する際に、作動部材B上部に設けた下向き段部39により押し下げられて吸気孔5を閉塞する如く構成した閉塞筒部材36を設け、作動部材Bのステム7下部には、シリンダ4に摺動可能に嵌合させるとともに、作動部材Bと固定吸引部Aとの係止を解除させて作動部材Bが最上昇状態に移行する際に、摺動閉塞部37の下端を上端により押し上げて、摺動閉塞部37に代わって吸気孔5を閉塞するピストン40を設ける。【選択図】図１
2015085971.tif 000002
【特許請求の範囲】
【請求項１】
容器体の口頚部外周に取り付けた装着筒により容器体内に下端を垂下させた状態でシリンダを固定するとともに、該シリンダ上部に外気導入用の吸気孔を穿設してなる固定吸引部と、該固定吸引部上端中央の開口より上方付勢状態で上下動可能に突出させたステム上端にノズル付き押し下げヘッドを設けた作動部材とを備え、該作動部材の上下動により容器体内の液を吸い上げてノズルより噴出する如く構成するとともに、作動部材を押し下げた状態で固定吸引部に係止可能に構成してなる液体噴出ポンプにおいて、
前記シリンダ上部に摺動可能に嵌合させて前記吸気孔を閉塞可能な摺動閉塞部と、該摺動閉塞部を下部外周より周突設するとともに、固定吸引部上端開口に挿入させた基筒部とからなり、前記作動部材が最下降の係止状態に移行する際に、作動部材上部に設けた下向き段部により押し下げられて吸気孔を閉塞する如く構成した閉塞筒部材を設け、
前記作動部材のステム下部には、前記シリンダに摺動可能に嵌合させるとともに、前記作動部材と固定吸引部との係止を解除させて前記作動部材が最上昇状態に移行する際に、前記摺動閉塞部の下端を上端により押し上げて、摺動閉塞部に代わって吸気孔を閉塞するピストンを設けたことを特徴とする液体噴出ポンプ。
【発明の詳細な説明】
【技術分野】
【０００１】
本発明は、液体噴出ポンプに関し、流通時、使用時のいずれにおいても、シリンダ上部に設けた吸気孔を通じた液漏れを防止し、また、浴室等の水場で使用する場合に、水が前記吸気孔を通じて容器体内に侵入することを抑制しようとするものである。
【背景技術】
【０００２】
従来、この種の液体噴出ポンプとして、例えば特許文献１に記載されるようなものが知られている。図７及び図８に示すように、このような従来の液体噴出ポンプ１００は、容器体の口頚部外周に取り付けた装着筒１０１により容器体内に下端を垂下させた状態でシリンダ１０２を固定するとともに、該シリンダ上部に外気導入用の吸気孔１０３を穿設してなる固定吸引部１０４と、該固定吸引部上端中央の開口１０５より上方付勢状態で上下動可能に突出させたステム１０６上端にノズル付き押し下げヘッド１０７を設けた作動部材１０８とを備え、該作動部材１０８の上下動により容器体内の液を吸い上げてノズルより噴出する如く構成するとともに、作動部材１０８を押し下げた状態で固定吸引部１０４に係止可能に構成してなる。
【０００３】
そして、保管、運搬等の流通時に容器を倒した場合でも、容器体内の液がシリンダ１０２の吸気孔１０３を通じて固定吸引部１０４の上端開口１０５から漏出することを防止できるようにするために、作動部材１０８が最下降の係止状態に移行する際に、作動部材１０８上部に設けた下向き段部１０９により押し下げられて、図８に示したように、吸気孔１０３を閉塞する閉塞筒部材１１０を設けていた。該閉塞筒部材１１０は、使用時には、作動部材１０８と固定吸引部１０４との係止を解除させて、作動部材１０８が最上昇状態に移行するに際し、作動部材１０８により押し上げられて、図７に示したように、吸気孔１０３を開放させるように構成されていた。
【先行技術文献】
【特許文献】
【０００４】
【特許文献１】特許第４０２６０２５号公報
【発明の概要】
【発明が解決しようとする課題】
【０００５】
しかしながら、前述したような従来の液体噴出ポンプ１００では、使用時に容器を倒した場合に、シリンダ１０２の吸気孔１０３を通じて容器体内の液の漏出を生じるおそれがあった。また、浴室等の水場で使用する場合に、水が、ステム１０６の外周面と閉塞筒部材１１０の内周面との隙間から、シリンダ１０２の吸気孔１０３を介して容器体内に侵入するおそれもあった。
【０００６】
本発明は、このような問題を解決するために開発されたもので、流通時、使用時のいずれにおいても、シリンダ上部に設けた吸気孔を通じた液漏れを防止し、また、水場で使用する場合に、水が前記吸気孔を通じて容器体内に侵入することを抑制することができる液体噴出ポンプを提供することを目的とする。
【課題を解決するための手段】
【０００７】
すなわち、本発明の要旨構成は以下のとおりである。
１．容器体の口頚部外周に取り付けた装着筒により容器体内に下端を垂下させた状態でシリンダを固定するとともに、該シリンダ上部に外気導入用の吸気孔を穿設してなる固定吸引部と、該固定吸引部上端中央の開口より上方付勢状態で上下動可能に突出させたステム上端にノズル付き押し下げヘッドを設けた作動部材とを備え、該作動部材の上下動により容器体内の液を吸い上げてノズルより噴出する如く構成するとともに、作動部材を押し下げた状態で固定吸引部に係止可能に構成してなる液体噴出ポンプにおいて、
前記シリンダ上部に摺動可能に嵌合させて前記吸気孔を閉塞可能な摺動閉塞部と、該摺動閉塞部を下部外周より周突設するとともに、固定吸引部上端開口に挿入させた基筒部とからなり、前記作動部材が最下降の係止状態に移行する際に、作動部材上部に設けた下向き段部により押し下げられて吸気孔を閉塞する如く構成した閉塞筒部材を設け、
前記作動部材のステム下部には、前記シリンダに摺動可能に嵌合させるとともに、前記作動部材と固定吸引部との係止を解除させて前記作動部材が最上昇状態に移行する際に、前記摺動閉塞部の下端を上端により押し上げて、摺動閉塞部に代わって吸気孔を閉塞するピストンを設けたことを特徴とする液体噴出ポンプ。
【発明の効果】
【０００８】
本発明によれば、作動部材と固定吸引部との係止を解除させて作動部材が最上昇状態に移行する際に、作動部材のステム下部に設けたピストンの上端により、閉塞筒部材の摺動閉塞部の下端を押し上げて、シリンダ上部に設けた吸気孔を、摺動閉塞部に代わってピストンで閉塞することができる。
【０００９】
したがって、本発明によれば、流通時、使用時のいずれにおいても、シリンダ上部に設けた吸気孔を通じた液漏れを防止し、また、水場で使用する場合に、水が前記吸気孔を通じて容器体内に侵入することを抑制することができる液体噴出ポンプを提供することができる。
【図面の簡単な説明】
【００１０】
【図１】本発明の一実施形態に係る液体噴出ポンプを容器体に装着し、作動部材を最上昇状態とした液体噴出ポンプ付き容器の要部を示す半断面側面図である。
【図２】図１の一部拡大図である。
【図３】図１の作動部材を最下降の係止状態とした液体噴出ポンプ付き容器の要部を示す半断面側面図である。
【図４】本発明の他の実施形態に係る液体噴出ポンプを容器体に装着し、作動部材を最上昇状態とした液体噴出ポンプ付き容器の要部を示す半断面側面図である。
【図５】図４の一部拡大図である。
【図６】図４の作動部材を最下降の係止状態とした液体噴出ポンプ付き容器の要部を示す半断面側面図である。
【図７】従来の液体噴出ポンプを容器体に装着し、作動部材を最上昇状態とした液体噴出ポンプ付き容器の要部を示す縦断面図である。
【図８】図７の作動部材を最下降の係止状態とした液体噴出ポンプ付き容器の要部を示す縦断面図である。
【発明を実施するための形態】
【００１１】
以下、図１〜図３を参照して、本発明の一実施形態に係る液体噴出ポンプについて詳細に例示説明する。
図１及び図２に示すように、本実施形態に係る液体噴出ポンプ１は、容器体２の口頚部外周に取り付けた装着筒３により容器体２内に下端を垂下させた状態でシリンダ４を固定するとともに、該シリンダ４上部に外気導入用の吸気孔５を穿設してなる固定吸引部Ａと、該固定吸引部Ａ上端中央の開口６より上方付勢状態で上下動可能に突出させたステム７上端にノズル８付き押し下げヘッド９を設けた作動部材Ｂとを備え、該作動部材Ｂの上下動により容器体２内の液を吸い上げてノズル８より噴出する如く構成するとともに、作動部材Ｂを押し下げた状態で固定吸引部Ａに係止可能に構成してなる。
【００１２】
具体的には、固定吸引部Ａは、シリンダ４と、装着筒３と、リングキャップ１０とを備える。シリンダ４は、上下端を開口した筒状で、外周上部よりフランジを突設し、下端部は縮径してパイプ１１嵌合用の嵌合筒部に構成し、該筒部内に上端を嵌着させたパイプ１１を容器体２内下端部に垂下させる。また、シリンダ４内下端部には吸い込み弁１２を設けている。
【００１３】
装着筒３は、容器体２の口頚部外周に設けた雄ねじに螺合する雌ねじを内周に有する筒壁１３上端より内周側へ取り付け用のフランジを突設して構成し、該フランジをシリンダ４の前記フランジの上面に装着し、また、シリンダ４上端に嵌着させたリングキャップ１０により抜け出しの防止を図り、シリンダ４に対して回動可能に設けている。そして、シリンダ４のフランジ下面をパッキンを介して容器体２口頚部上面に当接させて装着筒３のフランジにより圧接係止させている。
【００１４】
リングキャップ１０は、ステム７を貫通させる案内筒１４を回転防止用の縦リブ１５を介してシリンダ４上端内周に回転不能に嵌合させるとともに、案内筒１４の上下方向中央から外周側に延びるフランジの外周縁に嵌合筒１６を垂設し、該嵌合筒１６内周をシリンダ４上端外周に凹凸係合手段を介して抜け出し不能に嵌合させて構成している。
【００１５】
作動部材Ｂは、押し下げヘッド９と、ステム７と、ピストン部材１７と、ピストンガイド１８とを備える。押し下げヘッド９は、ステム７の上端に嵌着した縦筒１９を頂壁２０裏面中央部より垂設するとともに、縦筒１９の外周側で頂壁２０より垂下壁２１を垂設し、且つ縦筒１９上部に基端を開口したノズル８を側方へ突出させて構成している。
【００１６】
ステム７は、上下端が開口した上筒部２２と、上筒部２２の下端から縮径しつつ下方に延び、且つ周方向に間隔を空けて配置した複数の貫通孔２３を有する縮径部２４と、縮径部２４の下端に垂下した下筒部２５と、前記上筒部２２の下端に外周側にテーパ状に延びるスカート部を介して垂設した案内筒壁部２６とからなっている。
【００１７】
ステム７の下部には、ピストン部材１７を設けている。具体的には、ピストン部材１７は、ステム７の案内筒壁部２６の内周に液密に、且つ摺動可能に当接する筒状のシール筒２７と、シール筒２７の下端から外周側に延設したフランジの外周縁に連設した、上方及び下方に向けて拡径するスカート状のピストン２８と、シール筒２７の下端に垂設した環状突起２９とからなる。ピストン２８は、シリンダ４に摺動可能に嵌合している。
【００１８】
ステム７の下筒部２５には、ピストンガイド１８を嵌着させている。ピストンガイド１８は、ステム７の下筒部２５を嵌合係止する環状の嵌合凹部３０を上面に有する頂壁部３１と、頂壁部３１外周縁に垂設した外筒部３２とを有する。外筒部３２の上端外周には、外筒部３２外周とシリンダ４内周との間に隙間を形成するための複数の突起３３を周方向に間隔を空けて設けている。また、頂壁部３１の上面には、ピストン部材１７の環状突起２９の下端に当接可能な環状の当接凹部３４を設けている。
【００１９】
ピストンガイド１８と吸い込み弁１２との間には、コイルスプリング３５を配置している。コイルスプリング３５の上端は、外筒部３２の内周側で、頂壁部３１の下面に当接し、ステム７を上方に付勢している。
【００２０】
前述した固定吸引部Ａと作動部材Ｂとの間には、図３に示すように、押し下げヘッド９を押し下げ、垂下壁２１に形成した雌ねじをリングキャップ１０の案内筒１４の上部外周に形成した雄ねじに螺合させた状態、すなわち、作動部材Ｂが最下降の係止状態にあるときに、吸気孔５を閉塞する閉塞筒部材３６を設けている。閉塞筒部材３６は、シリンダ４上部に摺動可能に嵌合させて吸気孔５を閉塞可能な摺動閉塞部３７と、該摺動閉塞部３７を下部（本例では下端）外周より周突設するとともに、固定吸引部Ａ上端開口６に挿入させた基筒部３８とからなり、作動部材Ｂが最下降の係止状態に移行する際に、作動部材Ｂ上部に設けた下向き段部３９により押し下げられて吸気孔５を閉塞する如く構成している。
【００２１】
かかる構成によれば、保管、運搬等の流通時には、図３に示したように、作動部材Ｂを螺着した状態にしておく。この際、閉塞筒部材３６の摺動閉塞部３７が吸気孔５を閉塞する。したがって、流通時に容器を倒した場合でも、容器体２内からシリンダ４内への液の漏出が生じることはなく、その結果、固定吸引部Ａの上端開口６から液が漏出することを防止することができる。
【００２２】
また、使用時には、作動部材Ｂと固定吸引部Ａとの係止を解除させて、作動部材Ｂを最上昇状態に移行させるが、この際、ピストン部材１７は、ピストンガイド１８に押し上げられて、ピストン２８上端により、閉塞筒部材３６の摺動閉塞部３７下端を押し上げることができる。その結果、図２に示したように、摺動閉塞部３７に代えて、ピストン２８で吸気孔５を閉塞することができる。したがって、使用時においても、吸気孔５を通じた液漏れを防止することができる。また、水場で使用する場合に、水が吸気孔５を通じて容器体２内に侵入することを抑制することもできる。
【００２３】
なお、容器体２内の液を吐出させるには、この状態から押し下げヘッド９を何回か上下動させて初期動作を行い、シリンダ４内に容器体２内の液を導入して準備を整える。この際、閉塞筒部材３６は押し上げられた最上方位置に止まっている。次いで、押し下げヘッド９を押し下げると、シリンダ４内の加圧液が、ピストンガイド１８の外筒部３２外周とシリンダ４との隙間、ピストン部材１７下面とピストンガイド１８上面との隙間、及びステム７の縮径部２４に形成した貫通孔２３を通って、ノズル８から噴出する。次いで、押し下げヘッド９の押し下げを解除すると、コイルスプリング３５の作用で作動部材Ｂが上昇し、この時、ピストン部材１７の環状突起２９の下端にピストンガイド１８の当接凹部３４が当接して封止することで、ピストンガイド１８の下方のシリンダ４内が負圧化するため、容器体２内の液が吸い込み弁１２を開いて導入される。
【００２４】
次に、図４〜図６を参照して、本発明の他の実施形態に係る液体噴出ポンプについて詳細に例示説明する。
本実施形態に係る液体噴出ポンプ１’は、作動部材Ｂの構成が異なる他は、図１〜図３を用いて前述した例の液体噴出ポンプ１と同一の構成になっている。
【００２５】
すなわち、本実施形態の作動部材Ｂは、上下端が開口した筒状になるステム７’の下部（本例では下端）に外周側に延びるフランジを介して、上方及び下方に向けて拡径するスカート状のピストン４０を一体に設けている。ピストン４０は、シリンダ４に摺動可能に嵌合している。また、ステム７’の下端には、コイルスプリング３５の上端を嵌合させる段部が形成されている。さらに、ステム７’の内周には、ボール弁４１を設けている。押し下げヘッド９は、図１〜図３を用いて前述した例の場合と同一の構成になっている。
【００２６】
かかる構成によれば、図１〜図３を用いて前述した例の場合と同様の効果を得ることができる。なお、容器体２内の液を吐出させるには、押し下げヘッド９を何回か上下動させて初期動作を行った後、押し下げヘッド９を押し下げると、シリンダ４内の加圧液が、ボール弁４１を開いてノズル８から噴出する。次いで、押し下げヘッド９の押し下げを解除すると、コイルスプリング３５の作用で作動部材Ｂが上昇し、シリンダ４内が負圧化するためボール弁４１が閉じ、容器体２内の液が吸い込み弁１２を開いて導入される。
【００２７】
なお、前述したところは、本発明の一実施形態を示したにすぎず、特許請求の範囲において、種々の変更を加えてもよいことは言うまでもない。
【符号の説明】
【００２８】
１，１’  液体噴出ポンプ
２  容器体
３  装着筒
４  シリンダ
５  吸気孔
６  開口
７，７’  ステム
８  ノズル
９  押し下げヘッド
１０  リングキャップ
１１  パイプ
１２  吸い込み弁
１３  筒壁
１４  案内筒
１５  縦リブ
１６  嵌合筒
１７  ピストン部材
１８  ピストンガイド
１９  縦筒
２０  頂壁
２１  垂下壁
２２  上筒部
２３  貫通孔
２４  縮径部
２５  下筒部
２６  案内筒壁部
２７  シール筒
２８  ピストン
２９  環状突起
３０  嵌合凹部
３１  頂壁部
３２  外筒部
３３  突起
３４  当接凹部
３５  コイルスプリング
３６  閉塞筒部材
３７  摺動閉塞部
３８  基筒部
３９  下向き段部
４０  ピストン
４１  ボール弁
１００  液体噴出ポンプ
１０１  装着筒
１０２  シリンダ
１０３  吸気孔
１０４  固定吸引部
１０５  開口
１０６  ステム
１０７  押し下げヘッド
１０８  作動部材
１０９  下向き段部
１１０  閉塞筒部材
Ａ  固定吸引部
Ｂ  作動部材
【図１】
2015085971.tif 000003
【図２】
2015085971.tif 000004
【図３】
2015085971.tif 000005
【図４】
2015085971.tif 000006
【図５】
2015085971.tif 000007
【図６】
2015085971.tif 000008
【図７】
2015085971.tif 000009
【図８】
2015085971.tif 000010